(57)【要約】【課題】ガス漏れ警報器が壁の中に取り付けられる場合において、ガス漏れ警報器の取り付けや取り外しが容易にできるガス漏れ警報器の取付構造を提供する。【解決手段】ガス漏れ警報器を収容するために壁部に形成された収容部に収容される、移動可能なガス漏れ警報器を保持する移動部を有する取付ケースと、枠状に形成され、取付ケースの前面から装着される取付ケースカバーとを備える取付構造とする。このような取付構造により、取付ケースの移動部が収容部から引き出された状態で、ガス漏れ警報器が移動部に装着され、その移動部が壁部の収容部に移動してそこに収容され、取付カバーが取付ケースの本体部の前面に取り付けられることにより移動部が収容部内に固定された状態となって、ガス漏れ警報器が壁部に設置される。【選択図】図１
2005284968.tif 000002
【特許請求の範囲】
【請求項１】
ガス漏れ警報器を収容するために壁部に形成された収容部の開口周囲の前記壁部に固定される枠状に形成された本体部と、前記収容部に収容される、前記本体部に対して移動可能なガス漏れ警報器を保持する移動部とを有する取付ケースと、
枠状に形成され、前記取付ケースの前面から装着される取付ケースカバーとを備え、
前記取付ケースの前記移動部が前記収容部から引き出された状態で、前記ガス漏れ警報器が前記移動部に装着され、その移動部が前記壁部の前記収容部に移動してそこに収容され、前記取付カバーが前記取付ケースの前記本体部の前記前面に取り付けられることにより前記移動部が前記収容部内に固定された状態となって、前記ガス漏れ警報器が前記壁部に設置されることを特徴とするガス漏れ警報器の取付構造。
【請求項２】
前記本体部は、前記取付ケースカバーを取り付けるための被係合部を有し、前記取付ケースカバーは、前記取付ケースと着脱可能に係合するための係合部を有し、前記被係合部と前記係合部により、前記取付ケースカバーが前記取付ケースの前記本体部に装着される請求項１に記載のガス漏れ警報器の取付構造。
【請求項３】
前記移動部は、前記壁部に沿った可動本体部とその両端から立ち上がる可動アーム部からなる可動部を含み、
前記取付ケースの前記本体部には、前記可動部の前記可動アーム部が出入り可能な可動部用孔が形成された請求項１または２に記載のガス漏れ警報器の取付構造。
【請求項４】
前記移動部の前記可動アーム部と前記可動用孔には、一方にガイドレールと他方にそのガイドレールをガイドするガイド溝が形成され、前記ガイドレールと前記ガイド溝により前記移動部の傾きを抑える請求項３に記載のガス漏れ警報器の取付構造。
【請求項５】
前記取付ケースの前記本体部または前記移動部の少なくとも一方に、前記移動部が前記収容部から引き出された場合に、前記移動部を所定の位置で固定するための引出ストッパー部が形成された請求項１ないし４のいずれか１項に記載のガス漏れ警報器の取付構造。
【請求項６】
前記取付ケースの前記本体部または前記移動部の少なくとも一方に、前記移動部が前記収容部に収容された場合に、前記移動部を前記収容部内に固定するための収容用ストッパー部が形成された請求項１ないし５のいずれか１項に記載のガス漏れ警報器の取付構造。
【請求項７】
ガス漏れ警報器を収容するために壁部に形成された収容部の開口周囲の前記壁部に固定される枠状に形成された本体部を有する取付枠体と、
枠状に形成された基部と、その基部の枠内に前記ガス漏れ警報器を収容し保持するための保持部とを有し、前記取付枠体の前面から装着される取付枠体カバーとを備え、
前記取付枠体カバーの前記保持部に前記ガス漏れ警報器が装着されて前記壁部の前記収容部に収容され、前記取付枠体カバーの前記基部が前記取付枠体の前記本体部の前記前面に装着されることにより、前記ガス漏れ警報器が設置されることを特徴とするガス漏れ警報器の取付構造。
【請求項８】
前記保持部は、前記ガス漏れ警報器と係合し保持するための係合部を有する請求項７に記載のガス漏れ警報器の取付構造。
【発明の詳細な説明】
【技術分野】
【０００１】
ガス漏れ警報器を壁部に形成された収容部に設置するためのガス漏れ警報器の取付構造に関する。
【背景技術】
【０００２】
ガス漏れ警報器は、設置後一定の期間（例えば５年）を経過すると動作保証外となり、新しい警報器と交換している。ガス漏れ警報器は、壁等に設置されるが、交換のためには、容易に取り付けや取り外しができることが望ましい。
【０００３】
特許文献１では、取付板を利用し、警報器本体を取付板を介して被取付面に取り付けるようにしている。そして、本体を取付板から取り外して容易に交換できるようにしている。
【０００４】
【特許文献１】特開平１０−１０５８５４号公報
【発明の開示】
【発明が解決しようとする課題】
【０００５】
しかしながら、特許文献１は、壁にガス漏れ警報器を取り付ける場合であり、壁の中にガス漏れ警報器を設置する場合には、利用しがたい。この取付板を壁に形成される窪み（収容部）に埋め込むと、警報器本体部の着脱が容易にできるとは言えない。従来、壁の中にガス漏れ警報器を取り付ける場合には、取り外しが容易にできる形態のものがなかった。
【０００６】
そこで本発明の課題は、ガス漏れ警報器が壁の中に取り付けられる場合において、ガス漏れ警報器の取り付けや取り外しが容易にできるガス漏れ警報器の取付構造を提供することである。
【課題を解決するための手段及び発明の効果】
【０００７】
上記課題を解決するための本発明のガス漏れ警報器の取付構造は、
ガス漏れ警報器を収容するために壁部に形成された収容部の開口周囲の壁部に固定される枠状に形成された本体部と、収容部に収容される、本体部に対して移動可能なガス漏れ警報器を保持する移動部とを有する取付ケースと、
枠状に形成され、取付ケースの前面から装着される取付ケースカバーとを備え、
取付ケースの移動部が収容部から引き出された状態で、ガス漏れ警報器が移動部に装着され、その移動部が壁部の収容部に移動してそこに収容され、取付カバーが取付ケースの本体部の前面に取り付けられることにより移動部が収容部内に固定された状態となって、ガス漏れ警報器が壁部に設置される。
【０００８】
壁や天井などに一部または全部を埋め込む形態でガス漏れ警報器を設置する場合に、その壁部に設けられた収容部（ガス漏れ警報器を設置するための窪み）に取付ケースを取り付けて、そこにガス漏れ警報器を設置することができる。取付ケースの本体部を壁部に固定することによって、この取付ケースを壁部に取り付ける。取付ケースによってガス漏れ警報器を取り付けるため、取り付けも、取り外しも容易にすることができる。
【０００９】
また本体部に対し移動可能な移動部を有することから、この移動部を引き出して、ガス漏れ警報器を取り付けることができるため、取り付けが容易である。そして移動部を移動させて、ガス漏れ警報器を収容部へ収容できるため、設置も容易である。さらに取付ケースカバーを取付ケースの本体部の前面からはめ込んで、移動部を収容部内に固定することができる。よってガス漏れ警報器を取り付けた移動部の固定も容易である。また取付ケースカバーによって、取付ケースを覆うため、意匠的にもよい。
【００１０】
そして取付ケースの本体部は、取付ケースカバーを取り付けるための被係合部を有し、取付ケースカバーは、取付ケースと着脱可能に係合するための係合部を有し、被係合部と係合部により、取付ケースカバーが取付ケースの本体部に装着される。取付ケースの本体部と取付ケースカバーの裏面とに被係合部と係合部とを形成することで、容易に取付ケースカバーを取付ケースに装着することができる。そしてこの係合は、例えば、スナップフィット方式で行うことができる。このようにすれば、取付ケースカバーを取付ケース上から押さえることにより、取り付けが完了する。また取り外しも容易である。
【００１１】
そして移動部は、壁部に沿った可動本体部とその両端から立ち上がる可動アーム部からなる可動部を含み、取付ケースの本体部には、可動部の可動アーム部が出入り可能な可動部用孔を形成する。可動部用孔により移動部を収容部から引き出すことができ、さらに可動アーム部がガイドされるため、引き出しの作業も行いやすい。
【００１２】
さらに移動部の可動アーム部と取付ケースの本体部可動用孔には、一方にガイドレールと他方にそのガイドレールをガイドするガイド溝を形成することもできる。ガイドレールとガイド溝を形成することにより移動部の傾きを抑えることができる。特にガス漏れ警報器を移動部に取り付けた場合には、その重みで移動部が傾きやすくなるが、このようなガイドレールとガイド溝を形成することにより、これを抑えることができる。
【００１３】
取付ケースの本体部または移動部の少なくとも一方に、移動部が収容部から引き出された場合に、移動部を所定の位置で固定するための引出ストッパー部を形成することもできる。このような引き出しストッパー部を形成することで、移動部を引き出しすぎてしまうことを防止することができる。そして引出ストッパー部により止められた位置で、ガス漏れ警報器を装着し、移動部を再び収容部に収容することで、ガス漏れ警報器を設置することができる。
【００１４】
取付ケースの本体部または移動部の少なくとも一方に、移動部が収容部に収容された場合に、移動部を収容部内に固定するための収容用ストッパー部を形成することもできる。このような収容用ストッパー部を形成すれば、取付ケースカバーを装着する前に、移動部を固定することができる。
【００１５】
本発明の第二のガス漏れ警報器の取付構造は、ガス漏れ警報器を収容するために壁部に形成された収容部の開口周囲の壁部に固定される枠状に形成された本体部を有する取付枠体と、
枠状に形成された基部と、その基部の枠内にガス漏れ警報器を収容し保持するための保持部とを有し、取付枠体の前面から装着される取付枠体カバーとを備え、
取付枠体カバーの保持部にガス漏れ警報器が装着されて壁部の収容部に収容され、取付枠体カバーの基部が取付枠体の本体部の前面に装着されることにより、ガス漏れ警報器が設置される。そして保持部は、ガス漏れ警報器と係合し保持するための係合部を有する。
【００１６】
取付枠体カバーの保持部にガス漏れ警報器を装着することができる。そして保持部に係合部を形成することにより、容易に取り付け、取り外しを行うことができる。壁部には、取付枠体を固定し、この取付枠体に、ガス漏れ警報器を装着した取付枠体カバーを装着することにより、ガス漏れ警報器を壁部に設置することができる。取付枠体カバーを外すことによって、ガス漏れ警報器を壁部から取り外すことができる。したがってガス漏れ警報器の取り付け、取り外しを容易に行うことができる。
【発明を実施するための最良の形態】
【００１７】
以下、図を参照しつつ、本発明の実施例を説明する。図１に本発明のガス漏れ警報器の取付構造を示す。本発明の取付構造は、壁部に形成された収容部（ガス漏れ警報器の全部または一部を埋め込んだ状態で設置するための窪み）に取り付けられる取付ケース１、ガス漏れ警報器５１を取り付けた後に、取付ケース１と係合される取付ケースカバー３０からなる。壁や天井等の壁面に形成された収容部（窪み）に取付ケース１が取り付けられ、その取付ケース１にガス漏れ警報器５１が収容され設置される。取付ケースカバー３０は、取付ケース１の前面を覆うため、意匠面をよくすると共に、ガス漏れ警報器５１を固定する作用も有する。
【００１８】
取付ケース１は、壁の収容部の開口周辺部に固定される枠状のケース本体部２と、ケース本体部２に対して移動可能な移動部１５からなる。ケース本体部２には、取付ケース１をネジによって壁に取り付けるためのネジ穴１２、ケースカバーの取付用爪を係合するための被係合部３、取付ケースの移動部１５の先端部が出入りする取付ケース可動部用孔５が形成されている。移動部１５は、可動部９と取付板１０からなる。可動部９は、可動本体部７とその両端に可動アーム部８とを有する。これらは一体として移動可能で、取付ケースの可動部９の可動アーム部８は、取付ケースの可動部用孔５に出入りできる。
【００１９】
取付ケースカバー３０は、カバー本体部３５が枠状に形成され、その枠部端部には取付用爪３１、裏面側に可動部用固定部３２が形成されている。取付用爪３１は、スナップフィット方式により取付ケース１の被係合部３により係合される。取付用爪３１によって取付ケース１に取り付けると、取付ケース１のケース本体部２が取付ケースカバー３０によって覆われるため、見栄えがよくなるのと同時に、可動部用固定部３２によって取付ケース１の可動アーム部８の先端部を押さえることで、ガス漏れ警報器５１と可動部９とを一体として固定することができる。
【００２０】
図２を用いてガス漏れ警報器の設置例を示す。（ａ）は、壁６１に形成されたガス漏れ警報器を収容するための収容部６２を示す。収容部６２は、ガス漏れ警報器を収容できる大きさの凹部として形成されている。深さは、ガス漏れ警報器全体が収容される大きさであってもよいし、一部が壁面から露出する程度の大きさであってもよい。（ｂ）にこの収容部６２にガス漏れ警報器５１を収容した例を示す。ガス漏れ警報器５１は、壁面および収容部６２に取り付けられた取付ケースとその前面を覆う形態で取り付けられた取付ケースカバー３０により設置されている。取付ケースは、取付ケースカバー３０により覆われているため図には現れていない。
【００２１】
図３を用いてガス漏れ警報器の取付方法について説明する。（ａ）に示すように取付ケース１をケース本体部２のネジ穴にネジを入れて壁面６３に取り付ける。次にガス漏れ警報器５１を取り付けるために、取付板１０と可動部９からなる移動部１５を壁部外側に引っ張り出す。ガス漏れ警報器５１を移動部１５に収容し取付板１０とガス漏れ警報器５１の取付部５２とを結合させて一体として固定する。そして（ｂ）に示すように壁部６１の収容部６２に押し込む。そして（ｃ）に示すように、その上から取付カバー３０を取り付け、設置が完了する。
【００２２】
図４を用いて、図３のように取り付けられたガス漏れ警報器５１を外す方法について説明する。まず取付ケースカバー３０を外す。収容部６２に収容されたガス漏れ警報器５１を引っ張り出すと、移動部１５が一体として引き出される。さらにガス漏れ警報器５１を引き出すと、移動部１５の取付板１０から外れてガス漏れ警報器５１を取り外すことができる。次にガス漏れ警報器５１を取り付ける場合は、図３で説明した方法により、同様に行える。
【００２３】
図５を用いて取付ケースと取付ケースカバーとの取り付けについて説明する。（ａ）は、図３（ｂ）で示したガス漏れ警報器５１を移動部１５に取り付ける時の取付ケースの可動部９の先端（可動アーム部８の先端）周辺を示す。既にガス漏れ警報器５１が壁面に収容され、取付ケース移動部も壁面内部（図の右側が壁面）に押し込まれている。
【００２４】
さらに（ｂ）に示すように、取付ケースカバー３０を取付ケース１に押し込む。取付ケースカバー３０の取付用爪３１が取付ケース１と係合することにより、取付ケースカバー３０が固定される。また可動部用固定部３２が取付ケースの可動部の可動アーム部８の先端部を押さえてこれを固定する。
【００２５】
図６に取付ケースの可動部の他の実施例を示す。（ａ）に示すように、取り付けケースの可動部の可動アーム部１０５は、その先端部がＵ字状に形成された弾性部１０８を有する。そしてその弾性部１０８の側壁には、収容用ストッパー部１０９を有する。図の右側が壁部（収容部）側である。取付ケースの移動部が壁面の収容部に押し込まれた状態で、弾性部１０８のストッパー部１０９が取付ケース１０１の裏面によって固定されている。ガス漏れ警報器を取り付けるために、取付ケースの移動部を引き出す（図の左方向１０４に移動させる）場合、（ｂ）に示すように弾性部１０８を摘み、矢印方向１０３へ撓ませて弾性変形させストッパー部１０９を取付ケース１０１裏面側から外し、弾性部１０８を持って、取付ケース移動部を図の左方向１０４へ引き出す。そしてガス漏れ警報器を取り付けて、壁面の収容部へ収容する（右方向へ戻す）と、ストッパー部１０９とケース１０１の裏面とにより取付ケースの移動部が（ａ）のように固定される。
【００２６】
図７に取付ケースの可動部のさらに他の実施例を示す。可動部の可動アーム部１１７は、隆起部（引出ストッパー部）１１８を有する。また取付ケース１０２は、この隆起部１１８に対応する凹部１０５を有する。図の右側が壁部（収容部）側である。ケース１０２に取り付けられたガス漏れ警報器を取り外す場合に、隆起部１１８と凹部１０５とがかみ合わされる図に示した位置までくると取付ケース移動部の移動が止まるため、ガス漏れ警報器を取り外すことができる。ガス漏れ警報器を設置する場合には、図の位置でガス漏れ警報器を移動部に取り付け、ガス漏れ警報器及び取付ケース可動部を図の右方向１１４へ押し込むことにより、隆起部１１８と凹部１０５とのかみ合わせが外れて、収容部へ設置することができる。
【００２７】
図８に、さらに取付ケース可動部の他の実施例を示す。（ａ）に、正面図を示す。取付ケース１０５には、ガイド溝１０７を有する可動部用孔１０６が形成されている。ガイド溝１０７は、上下に形成されている。取付ケースの可動部の可動アーム部１３７には、ガイド溝１０７に沿って挿入されるガイドレール１３８が形成されている。（ｂ）に取付ケースの可動部の平面図を示す。可動部は、可動本体部１３６と可動アーム部１３７からなる。可動本体部１３６の端部から可動アーム部１３７が垂直に延び形成されている。そしてガイドレール１３８が、可動アーム部１３７の長手方向に沿う形態で形成されている。取付ケース可動部は、可動アーム部１３７のガイドレール１３８がガイド溝１０７にガイドされることにより、取付ケース１０５の可動部用孔１０６を出入りする。このガイドレール１３８とガイド溝１０７により取付ケース可動部がガス漏れ警報器を取り付けた場合にも、がたつきを生じたり傾いたりすることを防ぐことができる。
【００２８】
ガイド溝は、可動部用孔の上部または下部のいずれか一方に形成されるのみでもよい。また可動部用孔の上下に形成されるのではなく、左右に形成されてもよい。また取付ケース可動部にガイド溝を形成し、取付ケースにガイドレールを形成してもよい。
【００２９】
図９にガス漏れ警報器の第二の取付構造を示す。本発明の取付構造は、壁部に形成された収容部（窪み）の開口周辺部に取り付けられる取付枠体２０１と、ガス漏れ警報器５１を取り付け、取付枠体２０１と係合する取付枠体カバー２３０により構成される。壁や天井等の壁部にガス漏れ警報器５１を埋め込んだ状態で設置するために、壁面に形成された収容部（窪み）に取付枠体２０１が取り付けられる。取付枠体カバー２３０にガス漏れ警報器５１を収容して、取付ケース枠体２０１に取付枠体カバー２３０を取り付けることで、ガス漏れ警報器５１を設置することができる。取付枠体カバー２３０は、取付枠体２０１の前面から覆うことで、意匠面をよくすると共に、ガス漏れ警報器５１を保持する作用も有する。
【００３０】
取付枠体２０１は、壁の収容部の開口周辺部に固定される枠状本体部２０２によって構成される。枠状本体部２０２には、取付枠体２０１をネジによって壁に取り付けるための取付ケースネジ穴２１２、取付枠体カバー２３０の取付用爪２３２を係合するための係合部２０３が形成されている。
【００３１】
取付枠体カバー２３０は、枠状に形成されたカバー基部２３１と、ガス漏れ警報器５１を保持するための取付板２３８、その取付板２３８と基部２３１とを連結するための取付板固定部２３５からなる。その基部２３１の端部には取付用爪２３２が形成されている。取付用爪２３２は、スナップフィット方式により取付枠体２０１の係合部２０３により係合される。取付用爪２３２によって、取付枠体カバー２３０が取付枠体２０１に取り付けると、取付枠体２０１の枠状本体部２０２が取付枠体カバー２３０によって覆われるため、見栄えがよくなるのと同時に、ガス漏れ警報器を固定される。
【００３２】
図１０を用いてガス漏れ警報器の取付方法を説明する。壁６１に形成された収容部６２の開口周辺部に取付枠体２０１をネジにて固定する。取付枠体カバー２３０にガス漏れ警報器５１を取り付ける。取付枠体カバー２３０の取付板２３８にてガス漏れ警報器５１の取付部５２を固定する。そしてガス漏れ警報器５１を固定した取付枠体カバー２３０を取付枠体２０１に取り付ける。取付枠体カバー２３０は、取付用爪２３２と係合部２０３とにより、取付枠体２０１に固定される。これによりガス漏れ警報器の設置が完了する。
【００３３】
以上のように、取付ケースと取付ケースカバー、または取付枠体と取付枠体カバーを用いることにより、壁部に形成された収容部へのガス漏れ警報器の取り付け、取り外しを容易に行うことができる。
【図面の簡単な説明】
【００３４】
【図１】本発明のガス漏れ警報器の取付構造の実施例を説明する図。
【図２】壁部へのガス漏れ警報器の設置例。
【図３】ガス漏れ警報器の取り付けについて説明する図。
【図４】ガス漏れ警報器の取り外しについて説明する図。
【図５】取付ケースの可動部の押さえについて説明する図。
【図６】可動部を固定するためのストッパー部を説明する図。
【図７】可動部の引き出しを所定の位置で止めるためのストッパー部について説明する図。
【図８】可動部のレール状のガイド部について説明する図。
【図９】本発明のガス漏れ警報器の取付構造の第二の実施例を説明する図。
【図１０】第二の実施例によるガス漏れ警報器の取付工程を説明する図。
【符号の説明】
【００３５】
１    取付ケース
７    可動本体部
８    可動アーム部
９    可動部
１５    移動部
３０    取付ケースカバー
５１    ガス漏れ警報器
１０９  収容用ストッパー部
１１８  隆起部（引出ストッパー部）
１３８  ガイドレール
２０１  取付枠体
２０２  枠状本体部
２３０  取付枠体カバー
２３１  カバー基部
２３８  取付板
２３５  取付板固定部
【図１】
2005284968.tif 000003
【図２】
2005284968.tif 000004
【図３】
2005284968.tif 000005
【図４】
2005284968.tif 000006
【図５】
2005284968.tif 000007
【図６】
2005284968.tif 000008
【図７】
2005284968.tif 000009
【図８】
2005284968.tif 000010
【図９】
2005284968.tif 000011
【図１０】
2005284968.tif 000012